(57)【特許請求の範囲】
【請求項１】
外周部に環状の係止部が形成された広口瓶用のキャップであって、瓶口に弾性的に嵌着される軟質合成樹脂製の下蓋と、この下蓋に嵌合保持される合成樹脂製の上蓋とから成り、前記下蓋が、縮径方向に弾性変形して瓶口の内周面に密接される周壁と、この周壁の内周面に連設されて瓶口を閉止する縦断面形状が山形の天板と、周壁の上端から外方に向けて延設されて瓶口の天面に着座する外周フランジと、この外周フランジの周縁部から垂下されて口部外面に相対峙する筒状部材と、この筒状部材の内面側に膨出されて瓶口の環状係止部に下方から係止する係止部材と、脆弱な被破断部を介して前記筒状部材の下端側に連設され且つ周方向の一部には破断開始部が形成されて、前記筒状部材との間に上蓋嵌合凹部を形成する筒状のスカートとから構成され、前記上蓋が、上蓋天板の周縁部から垂下されて前記下蓋の嵌合凹部に差し込まれる上蓋周壁と、この周壁の外周面に膨出されて前記スカートの係止部に下方から係止する上蓋係止部材と、上蓋天板から垂下されて外周フランジに相対峙するフランジ押圧部材と、上蓋天板から垂下されて前記山形天板の頂点部に相対峙する天板押圧部材とから構成され、かつ、前記嵌合凹部内への上蓋の嵌合係止下において、前記フランジ押圧部材と瓶口天面とによって外周フランジを挟着させると共に、前記天板押圧部材によって前記山形天板の頂点部を押圧させるようにしてあることを特徴とする広口瓶用のキャップ。
【請求項２】
前記フランジ押圧部材と天板押圧部材とにわたって、天板中心まわりに放射状にリブを連設してある請求項１に記載された広口瓶用のキャップ。
【請求項３】
前記スカートの下端縁を瓶口肩部に当接させるように構成してある請求項１または２に記載された広口瓶用のキャップ。
【請求項４】
前記スカートの破断開始部の近傍に、破断開始用の摘み片を連設してある請求項１乃至３のいずれかに記載された広口瓶用のキャップ。
【請求項５】
前記上蓋天板の周縁部に、上蓋天板上に積み重ねられる広口瓶の瓶底嵌合部を膨出させてある請求項１乃至４のいずれかに記載された広口瓶用のキャップ。
【発明の詳細な説明】
【０００１】
【発明の属する技術分野】
本発明は、飲料用などのコップ状の広口瓶に被嵌されるキャップに関するものである。
【０００２】
【従来の技術】
コップ状の広口瓶に対するキャップとして、内面に合成樹脂製のパッキンがライニングされた瓶口閉止用のアルミ製下蓋と、この下蓋に嵌合保持される合成樹脂製の上蓋とから成るものが広く一般に普及しており、その下蓋の一つとして、瓶口を閉止する天板に、瓶口外周部の環状係止部を巻き込む係止縁部と摘み片とを設け、かつ、この摘み片の付け根部から天板の中央部にわたって二本の切れ目線を形成して成るものがある。
【０００３】
そして上蓋として、天板の周縁部に筒状の周壁を垂下させると共に、この周壁の内周面に、下蓋の係止縁部に下方から係止する係止部材を形成して成るものがあり、流通の段階では、この上蓋の係止部材を下蓋の係止縁部に弾性的に嵌着させている。
【０００４】
上記の下蓋の開封に際しては、二本の切れ目線に沿って、この切れ目線の間の天板部分を切り裂き、残りの天板部分すなわち２個の半円形の天板部分を左右に押し拡げるのであって、天板部分を一旦切り裂くと、これを元に戻すことは不可能であることから、例えば悪戯によって下蓋が開封された事態を一目瞭然にして知ることができる。
【０００５】
【発明が解決しようとする課題】
ところが、開栓に際して、半円形の天板部分の先端部に指先を押し付けて、この２個の天板部分を左右に押し拡げる際に、指先に大きな痛さを覚えることは避け得ず、更に、キャップには上蓋が添えられてはいるものの、この上蓋は、それの係止部材を下蓋の係止縁部に弾性的に嵌着させる構成であって、この上蓋には瓶口を再封する機能は全くなく、従って、飲み残し飲料の持ち運びに際して、瓶口を上蓋で閉じたとしても飲料の漏れ出しは余儀ないものであって、この上蓋は単に瓶口に載せ掛けて埃よけに利用するしかなかったのである。
【０００６】
また、近年では資源のリサイクル化が提唱されて、資源ゴミの分別回収が実施されつつあるが、それまではキャップが広口瓶と一体不可分にあったことから、広口瓶とアルミ製の下蓋および合成樹脂製の上蓋を一纏めにして、これらを資源ゴミとしてガラスのリサイクルルートに乗せてしまうことがあり、この内の上蓋は合成樹脂製であって、リサイクルの工程途中等で焼却できるので問題はないが、下蓋については、これがアルミ製であって、再生ガラスにアルミが混入する事態を避ける上で、下蓋を分別回収しなければならないという問題もあった。
【０００７】
【課題を解決するための手段】
上記の問題点を解決するために、本発明は、悪戯による開封の事態を一目瞭然にして知ることができるようにした上で、下蓋を安全に開封でき、しかも、飲料漏れを伴わせずに瓶口を確実に再封可能と成し、更に、再生ガラスにアルミが混入することも防止できるように、下蓋を合成樹脂製と成したのである。
【０００８】
【発明の実施の形態】
即ち、本発明による広口瓶用のキャップは、瓶口の係止部に弾性的に嵌着される軟質合成樹脂製の下蓋と、この下蓋に嵌合保持される合成樹脂製の上蓋とから構成され、かつ、下蓋に脆弱な被破断部を介して筒状のスカートを備えさせて、この下蓋に上蓋嵌合凹部を形成する一方、この嵌合凹部に上蓋の周壁を嵌合保持させて成るものである。
【０００９】
【実施例】
以下、本発明にかゝる広口瓶用キャップの実施例を図面に基づいて詳細に説明する。
図１は外周部に環状の係止部１が形成された広口瓶Ａの瓶口２を封着するキャップ３を示し、この広口瓶用のキャップ３は、図２，３にも示すように、瓶口２に弾性的に嵌着される軟質合成樹脂製の下蓋４と、この下蓋４に嵌合保持される合成樹脂製の上蓋５とから成る。
【００１０】
下蓋４は、例えばポリエチレン（ＰＥ）やエチレンビニルアセテート（ＥＶＡ）などの軟質の合成樹脂製であって、凹凸面部ａが縮径方向に弾性変形して瓶口２の内周面に密接される下蓋周壁６と、この周壁６の内周面に連設されて瓶口２を閉止する縦断面形状が山形の天板７と、周壁６の上端から外方に向けて延設されて瓶口２の天面２ａに着座する外周フランジ８と、この外周フランジ８の周縁部から垂下されて口部外面に相対峙する筒状部材９と、この筒状部材９の内面側に膨出されて瓶口２の環状係止部１に下方から係止する係止部材１０と、脆弱な被破断部１１を介して前記筒状部材９の下端側に連設され且つ周方向の一部には断面極小なるブリッジによる破断開始部ｂが形成されて、前記筒状部材９との間に上蓋嵌合凹部Ｂを形成する筒状のスカート１２とから構成されている。
【００１１】
そして、前記スカート１２の下端縁を瓶口肩部２ｂに当接させて、スカート内部への埃の侵入を防止できるようにし、かつ、前記スカート１２の破断開始部ｂの近傍に破断開始用の摘み片１３を連設して、スカート１２の破断開始の容易化を図り、更に、この摘み片１３の外面部に、開封手順を明示するための折れ曲がり矢印ｃを付してある。
【００１２】
尚、この実施例では、筒状部材９の周方向に所定の間隔を隔ててスリットを形成して、このスリット間の断面極小なるブリッジよって被破断部１１を構成しているが、スリットに代えてスカート１２の連設部位を薄肉にして、被破断部１１を所謂スコアによって構成してもよい。
【００１３】
上蓋５は、例えばポリプロピレン（ＰＰ）やポリスチレン（ＰＳ）などの比較的硬質の合成樹脂製であって、中央部をやゝ凹入させた上蓋天板１４と、この天板１４の周縁部から垂下されて前記下蓋４の嵌合凹部Ｂに差し込まれる上蓋周壁１５と、この周壁１５の外周面に膨出されて前記スカート１２の係止部１６に下方から係止する係止部材１７と、上蓋天板１４から垂下されて下蓋４の外周フランジ８に相対峙するフランジ押圧部材１８と、同じく上蓋天板１４から垂下されて下蓋４の山形天板７の頂点部に相対峙する天板押圧部材１９とから構成され、かつ、フランジ押圧部材１８と天板押圧部材１９とにわたって、天板中心まわりに補強用のリブ２０を放射状に連設すると共に、上蓋天板１４の周縁部には、上蓋天板上に積み重ねられる広口瓶Ａの瓶底嵌合部２１を膨出させている。
【００１４】
尚、図３に示すように、前記下蓋４の山形天板７と外周フランジ８との上面を自由状態でほゞ面一にする一方、前記天板押圧部材１９の垂下寸法をフランジ押圧部材１８の垂下寸法よりも大きくして、図１に示すように、上蓋周壁１５の係止部材１７をスカート１２の係止部１６に係止させた状態で、前記外周フランジ８をフランジ押圧部材１８と瓶口天面２ａとで挟着し、かつ、前記天板押圧部材１９によって山形天板７の頂点部を押圧させて、その山形天板７の突っ張り作用によって下蓋周壁６を瓶口内周面に押圧させるようにしている。
【００１５】
上記のように構成された広口瓶用のキャップ３によれば、下蓋４の嵌合凹部Ｂに上蓋５の周壁１５を嵌合させ、かつ、その上蓋５の係止部材１７を下蓋４の係止部１６に係止させて、下蓋４と上蓋５とを予め一体化させた状態で、周壁６と外周フランジ８と筒状部材９とによる瓶口嵌合凹部Ｃを広口瓶Ａの瓶口２に被せ、かつ上蓋５を押圧して、瓶口２の係止部１に下蓋４の係止部材１０を係止させることで瓶口２が封着される。
或いは、下蓋４と上蓋５とを予め一体化させずに、先ずは下蓋４の瓶口嵌合凹部Ｃを広口瓶Ａの瓶口２に被せて下蓋４を押圧し、この下蓋４の係止部材１０を瓶口２の係止部１に係止させて後に、下蓋４の嵌合凹部Ｂに上蓋５の周壁１５を嵌合保持させる封着形態をとることもできる。
【００１６】
かゝるキャップ３による瓶口２の封着状態では、下蓋４の周壁６が縮径方向に弾性変形して瓶口２の内周面に密接され、かつ、下蓋４の外周フランジ８がフランジ押圧部材１８と瓶口天面２ａとで挟着され、更に加えて、天板押圧部材１９によって山形天板７の頂点部が押圧されて、その山形天板７の突っ張りの作用で下蓋周壁６が瓶口内周面に押圧されることで、瓶口２に対する下蓋４のシール性が高く保持される。
【００１７】
開封に際しては、折れ曲がり矢印ｃに従って摘み片１３を引っ張り、破断開始部ｂを引き千切って、更に脆弱な被破断部１１を破断し、スカート１２を引き剥がしてしまうのである。
このようにしてスカート１２を引き剥がすことで、下蓋４に対する上蓋５の嵌合保持が解除されるのであって、かゝるスカート１２の引き剥がし状態では、上蓋５は単に下蓋４の筒状部材９に被さっているだけであり、この上蓋５を取り外した状態を図４に示しているが、ユーザーが商品を手にした状態で、かゝるスカート引き剥がしの事態を目にしたならば、既に悪戯などによって商品が開封されたことを一目瞭然にして知ることができる。
【００１８】
下蓋４の開封は、例えば広口瓶Ａを手にして、親指で下蓋４の筒状部材９を突き上げるように力を加えることで行われるが、その下蓋４が軟質の合成樹脂製であることから、指先に痛さを覚えることなく、安全かつ簡易に下蓋４を開封することができる。
そして、この下蓋４は、本来的に瓶口２に弾性的に嵌着されるものであることから、飲料の飲みかけ途中において、図５に示すように、瓶口２を下蓋４によって密閉するように再封することが容易に可能であり、埃よけはもとより、飲み残し飲料の持ち運びや保管時の横倒し等に際しての飲料の漏れ出しを確実に防止できる。
【００１９】
上記のように構成されたキャップ３にあっては、広口瓶Ａと一体不可分である下蓋４と上蓋５とが合成樹脂製であることから、これらを一纏めにして、これを資源ゴミとしてガラスのリサイクルルートに乗せたとしても、従来のように、再生ガラスにアルミが混入する事態が確実に解消される。
【００２０】
【発明の効果】
以上説明したように、本発明にかゝる広口瓶用のキャップによれば、悪戯などによる開封の事態を一目瞭然にして知ることができ、かつ、下蓋を軟質の合成樹脂製と成して、この下蓋を弾性的に瓶口に嵌着させるようにしたことで、瓶口を安全に且つ再封可能に開封できるようになり、しかも、キャップ全体を合成樹脂製としたことで、ガラス資源のリサイクル化に際して、再生ガラスにアルミが混入する事態を一切懸念せずに済む。
【図面の簡単な説明】
【図１】瓶口を封着したキャップの断面図である。
【図２】広口瓶と共に示すキャップの分解斜視図である。
【図３】広口瓶と共に示すキャップの分解断面図である。
【図４】スカートを引き剥がして上蓋を開封させた状態を示す斜視図である。
【図５】下蓋による瓶口の再封状態を示す断面図である。
【符号の説明】
１…瓶口係止部、２…瓶口、２ａ…瓶口天面、２ｂ…瓶口肩部、４…下蓋、５…上蓋、６…下蓋周壁、７…山形天板、８…外周フランジ、９…筒状部材、１０…下蓋係止部材、１１…被破断部、１２…スカート、１３…摘み片、１４…上蓋天板、１５…上蓋周壁、１６…係止部、１７…上蓋係止部材、１８…フランジ押圧部材、１９…天板押圧部材、２０…リブ、２１…瓶底嵌合部、Ｂ…上蓋嵌合凹部、ｂ…破断開始部。
【図１】
0003654542.tif 000002
【図２】
0003654542.tif 000003
【図３】
0003654542.tif 000004
【図４】
0003654542.tif 000005
【図５】
0003654542.tif 000006